(57)【要約】【課題】スクリーンの塵芥除去等の作業時間を短縮する。【解決手段】足場１は、人の足が乗せられる板状の踏面部材２と、踏面部材２を支持するとともにスクリーン２０に係合する少なくとも２つの支持部材３とを備える。各支持部材は、底部４と、長手部５と、鉤状の係合部６とを有する。底部４を踏面部材２の裏面に固定され、少なくとも一部が踏面部材２の裏面の基端側縁部７（縁部）に存するものとする。長手部５を底部４のうち踏面部材２の裏面の基端側縁部７に存する部分から踏面部材２の表面側方向に向かって延びるものとする。係合部６を長手部５の底部４側とは反対側に、長手部５に連続して延びており、スクリーン２０に係脱自在であるものとする。【選択図】図３
2008063909.tif 000002
【特許請求の範囲】
【請求項１】
取水口、沈砂池、水槽、放水口等に設置される格子状のスクリーンにおいて、該スクリーン上での人の作業及び移動のために用いる足場であって、
人の足が乗せられる板状の踏面部材と、
上記踏面部材を支持するとともに上記スクリーンに係合する少なくとも２つの支持部材と
を備え、
上記各支持部材は、
上記踏面部材の裏面に固定され、少なくとも一部が該踏面部材の裏面の縁部に存する底部と、
上記底部のうち踏面部材の裏面の縁部に存する部分から上記踏面部材の表面側方向に向かって延びる長手部と、
上記長手部の上記底部側とは反対側に、該長手部に連続して延びており、上記スクリーンに係脱自在である鉤状の係合部と、
を有する足場。
【請求項２】
請求項１の足場において、
上記踏面部材は矩形状であり、
上記踏面部材の上記長手部に近い側の辺である基端側縁部と、該基端側縁部に対向する辺である先端側縁部とに、表面側方向に延びたフランジ部が形成されている足場。
【請求項３】
請求項１の足場において、
上記踏面部材は矩形状であり、
上記底部のうち２つは、上記踏面部材の一対の平行な辺の周辺部にそれぞれ設けられ、
上記長手部は、上記踏面部材の上記一対の平行な辺に垂直な辺側に、かつ上記底部に対して垂直に形成されている足場。
【請求項４】
請求項１の足場において、
上記踏面部材は、矩形状であって、上記長手部に近い側が長辺であり、
上記踏面部材の短辺は、１５ｃｍ以上３０ｃｍ以下であり、
上記踏面部材の長辺は、２０ｃｍ以上５０ｃｍ以下である足場。
【請求項５】
請求項１の足場において、
ステンレス製であり、人が片手で持ち運び可能である足場。
【請求項６】
取水口、沈砂池、水槽、放水口等に設置される格子状のスクリーンにおいて、該スクリーン上を人が移動する方法であって、
上記請求項１〜５に記載のいずれか１つの足場を複数個用意するステップと、
上記足場のうち上記スクリーンに係合部が係合された一の足場の上記踏面部材に足を乗せ、上記足場のうち他の足場の踏面部材を片手で持ち、該他の足場の係合部を上記スクリーンに係合させるステップと、
上記一の足場の踏面部材から、上記他の足場の踏面部材に足を移動させるステップと、
上記他の足場の踏面部材に足を乗せた状態で、上記一の足場の踏面部材を片手で持ち、該一の足場の係合部と上記スクリーンとの係合を外すステップと、
を備えたスクリーン上を人が移動する方法。
【発明の詳細な説明】
【技術分野】
【０００１】
本発明は、スクリーン上での人の作業及び移動のために使用する足場及びそれを用いたスクリーン上を人が移動する方法に関するものである。
【背景技術】
【０００２】
水力発電施設において、発電に使用する水を取り込む取水口が、川や貯水池等に設けられている。この取水口には、塵芥(流木や枝葉など)の取水口への流入を防止するため、格子状のスクリーンが設置されている。また、取水口と水力発電施設との間に設けられた、沈砂池、水槽、放水口等にも、水路等から塵芥の流入を防止するために、同様のスクリーンが設置されている。これらのスクリーンは、設備の維持管理上、定期的な点検、修繕等が必要となる。
【０００３】
従来は、スクリーン全面に足場を組んで、点検、修繕等の作業を行っている。しかし、スクリーン全面に足場を組むと、足場の損料、設置及び撤去費用は高額となる。さらに、これらの作業を行うためには、水の流入を止めて断水しなければならない。このため、スクリーン全面に足場を設置し、点検、修繕等の作業をして、さらに足場を撤去するまでの期間、断水を行わねばならない。この断水の期間が長いほど、発電量が減少してしまう。
【０００４】
一方、足場として、作業者が乗ることのできる程度の大きさの小型の足場が知られている（例えば、特許文献１〜３参照）。特許文献１〜３の足場は、建物の壁体上端または、梁などの建物構造部材、梯子等に引っかけて固定する一対の係合部と、係合部に支持された棒状のポール部材と、ポール部材の上に架け渡される長板とを備えている。これらの足場を使用する際には、まず、係合部を壁体等の所望の位置に引っかけて固定する。次に、ポール部材の上に長板を架け渡して、ねじ止めする等して固定し、足場を組み立てる。この組み立てられた足場の長板上に乗って、作業者が作業する。作業後は、長板をポール部材から取り外した後、係合部を壁対等から取り外し、足場を撤去するようになっている。
【特許文献１】実開平４−５５９４８号公報
【特許文献２】特開２００１−３０３８７７号公報
【特許文献３】特開平６−１４６５７１号公報
【発明の開示】
【発明が解決しようとする課題】
【０００５】
しかしながら、上記特許文献１〜３の足場をスクリーンに用いるとしても、スクリーン上の作業箇所で、係合部をスクリーンに係合させ、長板をポール部材に取り付けて足場を組み立てなければならない。次の作業箇所へ移動するときには、長板を取り外し、足場を解体してから足場を撤去する必要がある。このため、各作業箇所において足場の組み立て及び解体を行わねばならず、スクリーン全面の修繕、点検等を行うためには、やはり作業時間が長くなってしまうという問題がある。
【０００６】
本発明は、かかる点に鑑みてなされたものであり、その目的とするところは、スクリーンの点検、修繕等の作業時間を短縮することにある。
【課題を解決するための手段】
【０００７】
本発明に係る足場は、取水口、沈砂池、水槽、放水口等に設置される格子状のスクリーンにおいて、該スクリーン上での人の作業及び移動のために用いる足場であって、人の足が乗せられる板状の踏面部材と、上記踏面部材を支持するとともに上記スクリーンに係合する少なくとも２つの支持部材とを備え、上記各支持部材は、上記踏面部材の裏面に固定され、少なくとも一部が該踏面部材の裏面の縁部に存する底部と、上記底部のうち踏面部材の裏面の縁部に存する部分から上記踏面部材の表面側方向に向かって延びる長手部と、上記長手部の上記底部側とは反対側に、該長手部に連続して延びており、上記スクリーンに係脱自在である鉤状の係合部とを有する足場である。
【０００８】
上記の足場によれば、踏面部材が支持部材の底部に固定されているので、踏面部材を持って足場を動かし、係合部をスクリーンに引っ掛けるだけで、足場の設置が完了する。さらに、足場を撤去する場合には、踏面部材を持ち上げるだけで、係合部とスクリーンとの係合を外すことができる。このため、各作業箇所において簡単に足場を設置及び撤去することができるので、全体の作業時間を短縮することができる。
【０００９】
本発明に係るスクリーン上を人が移動する方法は、取水口、沈砂池、水槽、放水口等に設置される格子状のスクリーンにおいて、該スクリーン上を人が移動する方法であって、上記の足場を複数個用意するステップと、上記足場のうち上記スクリーンに係合部が係合された一の足場の上記踏面部材に足を乗せ、上記足場のうち他の足場の踏面部材を片手で持ち、該他の足場の係合部を上記スクリーンに係合させるステップと、上記一の足場の踏面部材から、上記他の足場の踏面部材に足を移動させるステップと、上記他の足場の踏面部材に足を乗せた状態で、上記一の足場の踏面部材を片手で持ち、該一の足場の係合部と上記スクリーンとの係合を外すステップと、を備えたスクリーン上を人が移動する方法である。
【００１０】
上記スクリーン上を人が移動する方法によれば、スクリーンに係合させた一の足場に人が乗り、一方の手でスクリーンに掴まって体をスクリーンに支持させながら、他方の手で他の足場の踏面部材を持つ。そして、スクリーンの任意の箇所に他の足場の係合部を引っ掛ける。スクリーンを伝って、一の足場の踏面部材から他の足場の踏面部材に片方ずつ足を移動させ、他の足場に移動する。これにより、一の足場を設置したスクリーンの箇所から、他の足場を設置したスクリーンの箇所に移動することができる。さらに、他の足場に乗った状態で、スクリーンに係合している一の足場の踏面部材を片手で持ち上げて、係合部とスクリーンとの係合を外す。一の足場をさらに、任意のスクリーン箇所に係合させ、他の足場から一の足場に移動する。これら一連の動作を繰り返すことで、スクリーン上の任意の箇所に移動していくことができる。このため、スクリーン全面に足場を設置しなくても、スクリーンの任意の箇所に、複数の足場を係脱させながら移動することができる。
【発明の効果】
【００１１】
本発明によれば、スクリーンの点検、修繕等の作業時間を短縮することができる。
【発明を実施するための最良の形態】
【００１２】
以下、本発明の実施形態を図面に基づいて詳細に説明する。
【００１３】
図１に示すように、本発明の実施形態に係る足場１は、スクリーン２０上で人が作業するときや、移動するときに用いるものである。
【００１４】
スクリーン２０は、水力発電施設において、取水口に設置される。取水口は、発電に使用する水を取り込むために川や貯水池等に設けられるものである。、沈砂池は、水路式発電所において、取水口から流入した土砂が水路を流下して、水車等が損傷することを防ぐために、取水口の近くや、水路の途中に設けられる設備である。沈砂池は、流水断面の拡大により流速を減少させて、土砂を自然沈降させる構造となっており、廃砂設備を有している。また、水槽は、発電所の負荷変動に伴う水圧管路の流量と、導水路の流量との調整、ならびに、土砂、塵芥の最終的な除去を行うために設けられる。スクリーン２０は、塵芥、例えば流木や枝葉などの取水口等への流入を防止するためのものである。図２に示すように、スクリーン２０は、水平方向に設けられた棒状の横部材２１と、横部材２１に垂直に設けられた板状の縦部材２２とを備え、これらが格子状に組まれている。横部材２１の断面は、例えば、直径ａが１９ｍｍの円である。横部材２１は、例えば、互いの間隔ｂが３５０ｍｍとなるように並べられている。縦部材２２は、例えば、互いの間隔ｃが８０ｍｍとなるように並べられている。縦部材２２の幅方向略中央を、横部材２１が貫通するように、横部材２１と縦部材２２とが溶接されて組み合わされている。スクリーン２０全体の大きさは、取り付けられる取水口、沈砂池、水槽、放水口等の大きさに合わせて決められる。
【００１５】
スクリーン２０上での人の作業及び移動に用いる足場１は、図３に示すように、スクリーン２０に取り付けられて使用される。
【００１６】
図４に示すように、足場１は、板状の踏面部材２と、踏面部材２を支持するとともに、スクリーン２０に係合する少なくとも２つの支持部材３とを備えている。
【００１７】
踏面部材２は、その表面に人の足が乗せられるものである。ここで、踏面部材２の表面とは、足場１をスクリーン２０に係合するとき上側となる面である。
【００１８】
支持部材３は、底部４と、長手部５と、スクリーン２０に係脱自在である係合部６とを有している。底部４は、踏面部材２の裏面に固定されている。底部４の少なくとも一部は、踏面部材２の裏面の縁部に存する。底部４は、棒状の部材であり、踏面部材２の裏面のスクリーン２０に当接する縁部に一端が存すればよい。長手部５は、底部４のうち踏面部材２の裏面の縁部に存する部分から踏面部材２の表面側に向かって延びている。長手部５は、底部４の一端から、踏面部材２の縁部に沿って踏面部材２の裏面から表面の方へ略直角に折れ曲がるように連続している。係合部６は、長手部５の底部４側とは反対側に、長手部５に連続して延びている。係合部６は鉤状であり、スクリーン２０の横部材２１に引っかけて係合されるようになっている。具体的には、長手部５から踏面部材２と反対方向に向かって底部４と平行に延び、さらに、底部４に向かって長手部５に平行に延びている。
【００１９】
上記の足場１によれば、踏面部材２が支持部材３の底部４に固定されているので、踏面部材２を持って足場１を動かし、係合部６をスクリーン２０に引っ掛けるだけで、足場１の設置が完了する。さらに、足場１を撤去する場合には、踏面部材２を持ち上げるだけで、係合部６とスクリーン２０との係合を外すことができる。このため、各作業箇所において、簡単に足場１を設置及び撤去することができるので、全体の作業時間を短縮することができる。
【００２０】
図５（ａ）〜（ｃ）に示すように、踏面部材２は、矩形状に形成されている。図５（ｂ）は、長手部５の長い足場１の一例を示す側面図であり、図５（ｃ）は、長手部５の短い足場１の一例を示す側面図である。それぞれ踏面部材２は、長手部５に近い側の辺である基端側縁部７が長辺である矩形状である。ここで、基端側縁部７とは、足場１がスクリーン２０に取り付けられる際に、踏面部材２のスクリーン２０に当接する部分である。
【００２１】
この場合、踏面部材２の長辺である基端側縁部７の長さｄは、２０ｃｍ以上５０ｃｍ以下であることが好ましい。ｄが２０ｃｍ未満であると、人の両足を乗せると、足がはみ出してしまい、人が安定して支持されない。また、ｄが５０ｃｍよりも長いと、足場１が大きくなり、持ち運びが不便となるからである。
【００２２】
踏面部材２の一対の平行な辺であり、基端側縁部７に対して垂直な短辺である側辺１１の長さｅは、１５ｃｍ以上３０ｃｍ以下であることが好ましい。ｅが１５ｃｍ未満であると、人の足のうち踏面部材２の上に乗る部分がわずかとなり、人が足を踏み外しやすくなる。また、ｅが３０ｃｍよりも長いと、足場１が大きくなり、持ち運びが不便となるからである。足場１は、持ち運びが容易なものとするために小型であることが望ましい。踏面部材２を上記の大きさとすることにより、人が乗ることのできる大きさを確保しつつ、持ち運び及び取り付けの容易な小型の足場１とすることができる。
【００２３】
踏面部材２の基端側縁部７には、その一帯に亘って、踏面部材２の表面側に延びた基端側フランジ部９が形成されていることが好ましい。支持部材３は、底部４の少なくとも一部が基端側縁部７に存するとともに、基端側縁部７に沿って踏面部材２の表面側に向かって折れ曲がり、長手部５に連続するようになっている。さらに、踏面部材２の基端側縁部７に対向する辺であり、基端側縁部７に平行な先端側縁部８には、その一帯に亘って、踏面部材２の表面側に延びた先端側フランジ部１０が形成されていることが好ましい。基端側フランジ部９及び先端側フランジ部１０は、具体的には、踏面部材２を構成する板の端を折り曲げて形成する。
【００２４】
踏面部材２に人が乗るとき、通常は、基端側に人の足のつま先が、先端側にかかとが置かれる。踏面部材２の基端側及び先端側に、基端側フランジ部９及び先端側フランジ部１０が形成されていれば、これらに足が当たることにより、人が踏面部材２の縁部を確認することができる。このため、人が踏面部材２を踏み外すことによる足場１からの墜落を抑制することができる。これらのフランジ部９，１０は、人が足で確認するとともに、その上に足を乗せることができるように、０．５ｃｍ以上３ｃｍ以下の幅に形成されていることが好ましい。フランジ部９，１０の幅が、０．５ｃｍ未満であると、靴の上からでは、人がフランジ部９，１０を確認しにくくなるり、３ｃｍよりも大きいと、いずれかのフランジ部に足を乗せたときに、体の傾斜が大きくなり、作業がしにくくなるからである。
【００２５】
各支持部材３は、一本の棒状の部材で構成されている。支持部材３は、一端側が、踏面部材２の裏面に固定された底部４であり、踏面部材２の縁部に沿って折れ曲がり、中央部分が長手部５に構成されている。支持部材３の他端側が係合部６に構成されている。
【００２６】
底部４のうち２つは、踏面部材２の側辺１１の周辺部にそれぞれ設けられていることが好ましい。踏面部材２の両端が支持部材３により支持されるので、踏面部材２が安定して支持され、足場１上の作業及び移動を安全に行うことができる。
【００２７】
足場１は、持ち運びを容易とするために、より軽量であることが望ましい。このため、支持部材３は、２つであることが好ましい。支持部材３が２つあれば、踏面部材２を安定して支持することができる。
【００２８】
足場１の長手部５は、踏面部材２の一対の平行な辺である側辺１１に垂直な辺側、すなわち、基端側縁部７側に、かつ底部４に対して垂直に形成されていることが好ましい。踏面部材２上に乗った人が作業又は移動しやすいように、足場１は踏面部材２が水平となるようにスクリーン２０に取り付けられることが望ましい。足場１は、係合部６が横部材２１に係合され、長手部５がスクリーン２０に沿うように取り付けられる。したがって、長手部５が底部４に対して垂直に形成されていれば、踏面部材２が水平もしくは水平に近い状態となるように、足場１をスクリーン２０に取り付けることができる。なお、ここで垂直とは、厳密な垂直という意味ではなく、多少の傾きも含めた範囲内のことをいう。
【００２９】
支持部材３の長手部５の長さｆは、例えば、図５（ｂ）に示すように、ｆ＝２５０ｍｍまたは図５（ｃ）に示すように、ｆ＝１５０ｍｍである。
【００３０】
足場１は、ステンレス製であり、人が片手で持ち運び可能であることが好ましい。具体的には、足場１をステンレス製とすることにより、足場１の質量を４ｋｇ以下とすることができる。４ｋｇよりも質量が大きいと、人が片手で持ち運びしにくくなるからである。このため、人が片手で足場１を持ち運びすることができ、スクリーン２０への係脱も片手で行うことができる。さらに、足場１をステンレス製とすることにより、人が乗ったときに支持することができる強度を確保できるとともに、耐食性、耐久性に優れた足場１とすることができる。
【００３１】
次に、本発明の実施形態に係る足場１を製造する方法について説明する。
【００３２】
まず、ステンレス製の板を矩形状に形成する。板の長辺側の縁部付近を同一方向に折り曲げて、フランジ部９，１０を形成する。このようにして、踏面部材２が形成される。
【００３３】
次に、ステンレス製の同一長さの棒状部材を２本用意する。棒状部材の一端から、踏面部材２の側辺１１の長さｅと略同一長さ部分を垂直に曲げる。この一端側が底部４として構成される。底部４から他端側に向かって長さｆまでの部分が、長手部５として構成される。棒状部材の底部４から長さｆの部分を、底部４と反対方向に向かって底部４と平行に曲げ、さらに、底部４方向に向かって長手部５と平行に曲げる。この他端側が係合部６として構成される。このようにして、支持部材３が形成される。
【００３４】
次に、踏面部材２のフランジ部９，１０を曲げた方向と反対側の面、すなわち裏面側に支持部材３を溶接する。具体的には、踏面部材２の裏面の側辺１１側縁部に、底部４の長手部５が存する側を溶接する。
【００３５】
足場１は、所定の形状に成形した踏面部材２と支持部材３との２つの部材を溶接することにより、容易に製造することができる。
【００３６】
次に、本発明の実施形態に係る足場１を用いて、スクリーン２０上を人が移動する方法について説明する
足場１を複数個用意する。足場１は、少なくとも２つあればよく、人が片手で持ち運び可能な質量及び大きさで構成されている。
【００３７】
足場１のうち一の足場の係合部６をスクリーン２０の任意の箇所の横部材２１に係合させる。このとき、梯子２３（図１にのみ示す）で任意の高さまで上ってから、足場１を係合させてもよい。
【００３８】
それから、一の足場１の踏面部材２に足を乗せ、スクリーン２０に掴まって体を支持する。
【００３９】
次に、一方の手でスクリーン２０に掴まりながら、足場１のうち他の足場１の踏面部材２を他方の手で持つ。他の足場１の係合部６をスクリーン２０の任意の箇所の横部材２１に係合させる。
【００４０】
次に、スクリーン２０に掴まりながら、一の足場１の踏面部材２から他の足場１の踏面部材２に片方ずつ足を移動させ、一の足場１から他の足場１に移動する。これにより、一の足場１を設置したスクリーン２０の箇所から、他の足場１を設置したスクリーン２０の箇所に移動することができる。
【００４１】
さらに、他の足場１の踏面部材２に足を乗せた状態で、スクリーン２０に係合している一の足場１の踏面部材２を片手で持ち上げて、係合部６とスクリーン２０との係合を外す。一の足場１をさらに任意のスクリーン２０箇所に係合させ、他の足場１から一の足場１に移動する。
【００４２】
これら一連の動作を繰り返すことで、スクリーン２０上の任意の箇所に移動していくことができる。足場１は、片手で簡単にスクリーン２０に係脱することができるので、足場１の設置及び撤去の時間が短く、作業時間を短縮することができる。さらに、スクリーン２０全面に足場を設置しなくても、スクリーン２０の任意の箇所に、複数の足場１を順に係脱させながら移動することができる。特に、スクリーン２０の高所において横に移動したい場合には、梯子２３を一旦降りて梯子２３を移動させ、再び梯子２３を登って移動する場合に比べ、移動時間が短くてすむので、さらに作業時間を短縮することができる。
【００４３】
なお、上述の実施形態は、本発明の例示であって、本発明はこの例に限定されない。
【００４４】
例えば、本実施形態に係る足場１においては、支持部材３は、棒状の部材としたが、板状の部材としてもよい。
【００４５】
また、本実施形態に係る足場１においては、支持部材３は、一本の棒状の部材で構成されるものとしたが、底部４、長手部５及び係合部６が別々の部材で構成されていてもよい。
【００４６】
また、本実施形態に係る足場１においては、踏面部材２は、矩形状に形成されているが、この形状に限定されるものではなく、例えば、楕円状に形成されていてもよい。
【００４７】
また、本実施形態に係る足場１においては、支持部材３は２つとしたが、３つ以上であってもよい。ただし、足場１の軽量化のためには、２つであることが好ましい。
【００４８】
また、本実施形態に係る足場１においては、ステンレス製としたが、鉄製としてもよい。ただし、足場１の軽量化等のためには、ステンレス製であることが好ましい。
【００４９】
また、本実施形態では、足場１は、水力発電施設における取水口等に設置されるスクリーン上で使用するものとしたが、火力発電所や原子力発電所の取水口、放水口等に設置されるスクリーンの点検、修繕作業等にも使用することができる。
【産業上の利用可能性】
【００５０】
以上説明したように、本発明の足場は、作業時間を短縮することができるので、スクリーン上を人が移動する場合等について有用である。
【図面の簡単な説明】
【００５１】
【図１】本発明の実施形態に係る足場を用いて人がスクリーン上で作業する様子を示す図である。
【図２】スクリーンの一部を示す正面図である。
【図３】スクリーンと、これに係合された足場を示す斜視図である。
【図４】本発明の実施形態に係る足場を示す斜視図である。
【図５】足場を示し、（ａ）は踏面部材の表面側から見た平面図であり、（ｂ）は側面図の一例であり、（ｃ）は側面図の他の一例である。
【符号の説明】
【００５２】
１    足場
２    踏面部材
３    支持部材
４    底部
５    長手部
６    係合部
７    基端側縁部
８    先端側縁部
９    基端側フランジ部（フランジ部）
１０  先端側フランジ部（フランジ部）
２０  スクリーン
【図１】
2008063909.tif 000003
【図２】
2008063909.tif 000004
【図３】
2008063909.tif 000005
【図４】
2008063909.tif 000006
【図５】
2008063909.tif 000007